(57)【要約】      （修正有）【課題】多様な使用機能を備えるとともに、使用が簡便な構造をなす、冷熱凍カップを提供する。【解決手段】容器本体１と、上蓋２と、底蓋３とからなる。前記容器本体の内部には、容器１１が設けられる。前記容器は、上向きに開口した収容スペース１２を有するとともに、容器本体１との間に、装填スペース５が設けられる。前記装填スペースの内部には、氷挟持部品４が設けられるか、或いは氷挟持スペースが形成される。また、前記容器本体の底部には、装填口が開設される。以上の構造により、容器本体１を倒置させて装填口から適量の水や塩水等を入れた後、冷凍・加熱することによって氷結層・増温層が形成される。もしくは、装填スペース５内に氷・塩等、或いは各種冷媒・熱媒を入れて底蓋で装填口を密封する。以上により、容器収容スペース１２内の飲食物が冷状態を保ったり、冷涼・氷結・温熱等の状態をなす。【選択図】図５
0003187021.tif 000002
【実用新案登録請求の範囲】
【請求項１】
容器本体と、上蓋と、底蓋とからなる、冷熱凍カップであって、
前記容器本体内部には、容器が設けられ、
前記容器は、上向きに開口した収容スペースを有するとともに、前記容器本体との間に装填スペースが設けられ、
前記容器本体底部は、開口して装填口を形成し、
前記上蓋、及び前記底蓋は、それぞれ前記容器本体における収容口、及び装填口の形状とサイズに対応して設けられ、
以上の構造により、倒置した前記容器本体の底部における装填口から装填スペース内に適量の水や塩水を入れ、底蓋によって装填口を密封した後、冷凍することによって氷結層を形成させるか、もしくは、前記装填スペース内に氷・塩、或いは冷媒・熱媒を入れ、
それにより、前記容器収容スペース内の飲食物は、氷結層、或いは氷・塩・冷媒・熱媒の伝導によって、冷状態を保つ、或いは冷涼・温熱状態になり、且つ揺動・攪拌によってシャーベットやアイスクリームを製造することができることを特徴とする、冷熱凍カップ。
【請求項２】
容器本体と、上蓋と、底蓋とからなる、冷熱凍カップであって、
前記容器本体内部には、容器が設けられ、
前記容器は、上向きに開口した収容スペースを有するとともに、前記容器本体との間に装填スペースが設けられ、
前記容器本体底部は、開口して装填口を形成し、
前記上蓋、及び前記底蓋は、それぞれ前記容器本体における収容口、及び装填口の形状とサイズに対応して設けられ、
前記装填スペース内には、氷挟持部品が設けられるか、或いは氷挟持スペースが形成され、
前記氷挟持部品、或いは前記氷挟持スペースは、前記容器本体、及び容器の形状・デザインに応じて設けられ、
以上の構造により、倒置した前記容器本体の底部における装填口から装填スペース内に適量の水や塩水を入れ、底蓋によって装填口を密封した後、冷凍することによって氷結層を形成させるか、もしくは、前記装填スペース内に氷・塩、或いは冷媒・熱媒を入れ、
それにより、前記容器収容スペース内の飲食物は、氷結層、或いは氷・塩・冷媒・熱媒の伝導によって、冷状態を保つ、或いは冷涼・温熱状態になり、且つ揺動・攪拌によってシャーベットやアイスクリームを製造することができることを特徴とする、冷熱凍カップ。
【請求項３】
前記容器本体底部は、閉じているとともに、その周縁、或いは上方に一つ、或いは複数の装填孔（口）が設けられ、
前記装填孔（口）は、その内側にいずれも栓蓋、或いは横蓋が嵌め込まれて閉じられ、
前記装填スペース内には、前記栓蓋、或いは横蓋が取り出された前記装填孔（口）から、水や塩水、或いは氷・塩・冷媒・熱媒が入れられることを特徴とする、請求項１、或いは請求項２に記載の冷熱凍カップ。
【請求項４】
前記容器本体、及び容器の形状は、カップ状・酒杯・高脚型グラス・ビールグラス・瓶状・箱状・缶状・皿状・碗状・筒状・鍋状・ハンディクーラー・水筒・筒型保温容器のいずれかであることを特徴とする、請求項１、或いは請求項２に記載の冷熱凍カップ。
【請求項５】
前記容器本体、及び容器に形成された収容スペースと装填スペースは、その位置や機能が相互に交換される、もしくは同様の機能を有することを特徴とする、請求項１、或いは請求項２に記載の冷熱凍カップ。
【請求項６】
前記底蓋は、台座・栓蓋・横蓋、或いは封止フィルム・テープによって代替され、
台座・栓蓋・横蓋・封止フィルム・テープ、及び底蓋は、容器本体、或いは容器に応じて、そのいずれか一つが使用されることを特徴とする、請求項１、或いは請求項２に記載の冷熱凍カップ。
【請求項７】
前記容器本体・容器と、上蓋・底蓋・台座・栓蓋・横蓋の間は、螺合・嵌込・嵌合といった方法によって組み合わされることを特徴とする、請求項１、或いは請求項２に記載の冷熱凍カップ。
【請求項８】
前記容器本体・上蓋・底蓋の外部には、更に保護部品が設けられ、
前記保護部品と、容器本体・上蓋・底蓋との間には、わずかな隙間が設けられることにより、容器本体表面の結露、及び温度の外部への伝導を防止するとともに、持ちやすくなることを特徴とする、請求項１、或いは請求項２に記載の冷熱凍カップ。
【請求項９】
前記容器は、更にその外部に容器本体が組み合わされることを特徴とする、請求項１、或いは請求項２に記載の冷熱凍カップ。
【請求項１０】
前記氷挟持部品は、装填スペース内部・収容スペース内部、或いは底蓋内面・台座内面・上蓋内面のいずれかの位置に、一つ、或いは複数設けられることを特徴とする、請求項２に記載の冷熱凍カップ。
【請求項１１】
前記容器本体と容器の表面、或いは内面は、平面状の他、凹凸造形・凹凸花柄・文様・溝槽・波型状・弧状といった形状を呈するとともに、氷挟持機能を備えた氷挟持スペースを形成することを特徴とする、請求項２に記載の冷熱凍カップ。
【請求項１２】
前記容器本体・容器・上蓋・底蓋には、更に一つ、或いは複数の圧力逃がし孔が設けられ、
前記圧力逃がし孔は、前記装填スペース、或いは収容スペースとつながるとともに、その孔口外縁に孔栓（蓋）が嵌めこまれて密封され、
前記装填スペース、或いは収容スペース内に冷凍によって形成された氷結層或いは氷が溶けた時、前記孔栓（蓋）が取り出されて空気が流れて圧力が逃がされることによって、底蓋或いは上蓋が容器本体・容器から取り外しやすくなることを特徴とする、請求項１、或いは請求項２に記載の冷熱凍カップ。
【請求項１３】
前記上蓋は、使用上の必要性に応じて省かれることを特徴とする、請求項１、或いは請求項２に記載の冷熱凍カップ。
【請求項１４】
前記氷挟持部品は、使用上の必要性に応じて省かれることを特徴とする、請求項２に記載の冷熱凍カップ。
【考案の詳細な説明】
【技術分野】
【０００１】
本考案は、冷熱凍カップに関し、特に、容器本体の内部に容器が設けられて、収容スペース、及び装填スペースを形成するとともに、前記装填スペース内に使用上の必要性に応じて氷挟持部品が設けられるか、或いは氷挟持スペースが形成され、以上の構造に基づき、容器本体を倒置させて装填スペース内に適量の水や塩水を入れてから冷凍することによって氷結層が形成されるか、もしくは、氷挟持部品或いは氷挟持スペースを省いて、直接装填スペース内に氷・塩や冷媒・熱媒を入れることで、収容スペース内の飲食物が氷結層や氷・塩や冷媒・熱媒の伝導で冷状態を保ったり冷涼・温熱状態をなす他、更に揺動・攪拌してシャーベットやアイスクリームを作ることができ、これにより多様な使用機能を備え、且つ使用が簡便な構造をなす、冷熱凍カップに関する。
【背景技術】
【０００２】
人々の飲食の好みは気候によって大きく影響される。夏の暑い日には、冷たい飲料を事のほか好む。一方冬になると、暖かい飲料の方が歓迎される。夏に冷たい飲料を飲もうとする場合、最も簡便な方法は、飲料を冷蔵庫で冷やすか、あるいは直接氷を入れて冷却することである。しかし、冷蔵庫で冷やす場合、ある程度の時間が経ってからでないと飲料が冷たくならず、冷蔵庫から取り出した後の飲料は常温下において急速に温度が上昇するため、すぐに飲まないと冷たさが失われてしまう。飲料に氷を入れる場合、急速に冷却できるものの、飲料の味が薄まってしまう上、氷を準備しておくという手間がかかる。
【０００３】
これに対し、市販には二重壁を備えた保冷・保温カップが数多くある。これらは、二重壁内が真空をなす、或いは保冷剤・発泡スチロール等の物質を充填することにより、カップ内の飲料の冷たさを保ったり、更に温度を下げられたりすることを強調している。しかし、前述の保冷・保温カップは、使用上の不便さだけでなく、販売価格も高価であることが一般的である。また、機能においては、せいぜい長時間飲料の冷たさを保つだけであり、冷蔵・冷凍や、氷を入れて冷却するといった効果を備えておらず、実用的とは言いがたい。
【考案の概要】
【考案が解決しようとする課題】
【０００４】
そこで、本考案は、収容スペース内の飲食物が氷結層や氷・塩、各種冷媒・熱媒の伝導で冷状態を保つ、或いは冷涼・温熱状態をなす他、更に揺動・攪拌してシャーベットやアイスクリームを作ることができる、冷熱凍カップを提供することを目的とする。
【課題を解決するための手段】
【０００５】
上述の目的を達成するため、本考案は、主に容器本体と、上蓋と、底蓋とからなる。前記容器本体の内部には、容器が設けられる。前記容器は、上向きに開口した収容スペースを有するとともに、容器本体との間に、装填スペースが設けられる。前記装填スペースの内部には、使用上の必要性に応じて氷挟持部品が設けられるか、或いは氷挟持スペースが形成される。また、前記容器本体の底部には、装填口が開設される。前記上蓋、及び前記底蓋は、それぞれ容器上方における収容口、及び容器本体底部における装填口の形状とサイズに対応して設けられることにより、収容口、及び装填口を密封する。以上の構造により、容器本体を倒置させて上向きにした装填スペースの装填口から適量の水や塩水を入れた後、底蓋で装填口を密封して冷凍することによって、氷結層が形成される。また、氷挟持部品、或いは氷挟持スペースを省いて、装填スペース内に直接氷・塩、或いは冷媒・熱媒を入れるとともに、同様に底蓋で密封することも可能である。前述の氷結層、或いは氷・塩・冷媒・熱媒の伝導を利用することで、容器の収容スペース内の飲食物の冷状態・温状態を保つことができ、更に、揺動・攪拌してシャーベットやアイスクリームを作ることができる。これにより、多様な使用機能を備えるとともに、使用が簡便な構造をなす。
【図面の簡単な説明】
【０００６】
【図１】本考案の斜視分解図である。
【図２】本考案の組み立て断面図である。
【図３】本考案の使用状態を示した概略図一である。
【図４】本考案の使用状態を示した概略図二である。
【図５】本考案の使用状態を示した概略図三である。
【図６】本考案の実施例２の組み立て断面図である。
【図７】本考案の実施例２における変更例の断面図である。
【図８】本考案の実施例２における変更例の断面図である。
【図９】本考案の実施例３の組み立て断面図である。
【図１０】本考案の実施例４の組み立て断面図である。
【図１１】本考案の実施例５の組み立て断面図である。
【図１２】本考案の実施例６の組み立て断面図である。
【図１３】本考案の実施例７の組み立て断面図である。
【図１４】本考案の実施例８の組み立て断面図である。
【図１５】本考案の実施例９の組み立て断面図である。
【図１６】本考案の実施例９における変更例の組み立て断面図である。
【図１７】本考案の実施例１０の組み立て断面図である。
【図１８】本考案の実施例１１の組み立て断面図である。
【図１９】本考案の実施例１２の組み立て断面図である。
【図２０】本考案の実施例１３の組み立て断面図である。
【図２１】本考案の実施例１３における変更例の組み立て断面図である。
【図２２】本考案の実施例１４の組み立て断面図である。
【考案を実施するための形態】
【０００７】
（実施例１）
まず、図１を参照する。本考案は、主に容器本体１と、上蓋２と、底蓋３とからなる。
【０００８】
図２、図３、図４、図５を合わせて参照する。容器本体１は、所定の形状に成型されるとともに、その内部に容器１１が設けられる。容器１１と容器本体１は、一体成型、或いは連接・段階式組み立て等の方法によって組み合わされてなる。加えて、容器１１は、上向きに開口した収容スペース１２を有し、その頂部の収容口から注がれた飲料、或いは食物（例えば酒・牛乳・ジュース・コーヒー・緑豆スープ・八宝粥等）を収容することができる。更に、容器１１と容器本体１の間には、装填スペース１３が設けられる。装填スペース１３は、容器１１の外部に囲繞して設けられるとともに、その内部に使用上の必要性に応じて氷挟持部品４が設けられる。氷挟持部品４は、数枚の皿状の枠体からなるとともに、装填スペース１３の形状及びサイズに対応して設けられ、且つその上部に複数の方眼形状の開口が設けられる。また、容器本体１は、底部が開口して装填口を形成するとともに、底部の周縁にネジ山部１４が設けられる。これにより、容器本体１を倒置させて装填口を上向きにしてから、装填スペース１３に水や塩水、或いは氷・塩・各種の冷媒・熱媒（例えば、砕き氷・削り氷・ドライアイス・温水・熱水等）を入れることができる。次に、上蓋２は、容器本体１頂部に開口した収容口の形状及びサイズに対応するとともに、蓋をして密封することによって、収容スペース１２内の飲食物が外に漏れることを防止する。底蓋３は、容器本体１底部に形成された装填口の形状及びサイズに対応して設けられるとともに、その口縁部内側にネジ孔部３１が設けられる。ネジ孔部３１は、容器本体１底部のネジ山部１４に対応して設けられることにより、互いの間を螺合する。底蓋３は、更にネジ孔部３１から内側に寄った位置に止め縁３２が凸設されることにより、止め縁３２と口縁部内面との間に陥没した環槽が形成されて漏れ防止リング３３が嵌め置かれる。漏れ防止リング３３に容器本体１の底部が嵌め入れられることにより、装填スペース１３の装填口が密封されて、内部の水・塩水、或いは氷・塩・冷媒・熱媒（例えば、砕き氷・削り氷・ドライアイス・温水・熱水等）が漏れることを防止するとともに、氷挟持部品４を可動に取り付けて位置決めすることができる。
【０００９】
本考案を使用する際は、倒置させた容器本体１の底蓋３を外して、装填スペース１３に適量の水或いは塩水（図３を参照）を入れた後、改めて底蓋３を閉めて装填口を密封する。これを冷凍することにより、装填スペース１３内に氷結層５が形成される（図４を参照）。容器本体１を冷凍庫或いは冷蔵庫から取り出した後、上蓋２を開けて容器１１上方の収容口から飲料６、或いは食物（例えば酒・牛乳・ジュース・コーヒー・緑豆スープ・八宝粥等）を収容スペース１２内（図５を参照）に入れると、氷結層５の冷温が容器１１に伝導して、飲料６或いは食物の冷温状態が保たれる。これにより、使用者は冷たい飲料６或いは食物を摂取することができる。更に、揺動・攪拌してシャーベットやアイスクリームを作ることができる。加えて、氷結層５を装填スペース１３から取り出して、氷挟持部品４の形状に応じて製氷された氷を他用途に使うこともできる。この他、容器本体１を倒置させた時、使用上の必要性に応じて氷挟持部品４を省き、装填スペース１３に氷・塩、或いは各種の冷媒・熱媒（例えば、砕き氷・削り氷・ドライアイス・温水・熱水等）を直接入れることもできる。この場合も同様に、収容スペース１２内の飲料６或いは食物は、氷・塩、或いは冷媒・熱媒の伝導によって冷状態・温状態を保つことができる。また、揺動・攪拌してシャーベットやアイスクリームを作ることができる。これにより、使用者の好みに応じた飲食が可能になり、多様な使用機能を備えるとともに、使用が簡便な構造をなす。
【００１０】
（実施例２）
次に、図６を参照する。本考案の実施例２は、図に示したように装填スペース１３内に設けられた氷挟持部品４Ａが網状を呈するか、或いは有孔状・フレーム状等の異なる形状に設けられる。氷挟持部品４Ａ底部は、容器１１の下方に接触するとともに、容器１１底面の凸点４Ａ１によって固定される。氷挟持部品４Ａと凸点４Ａ１底部は、嵌込・螺合・係止等の方法によって固定されることにより、装填スペース１３内に冷凍された氷結層を押止する効果が得られる。底蓋３には、更に圧力逃がし孔３４が設けられる。圧力逃がし孔３４は、その内側に孔栓３５が嵌込・螺合・嵌合等の方法によって緊合されるか、或いは代わりに封止フィルム・テープによって密封される。装填スペース１３内に形成された氷結層、或いは内部の氷が溶けた時、孔栓３５を圧力逃がし孔３４から取り出すことにより、装填スペース１３内外の空気に流れが生じて装填スペース１３内の気圧が下がり、上蓋２或いは底蓋３を取り外しやすくなる。図７を参照する。氷挟持部品４Ｂは、碗状、或いはフレーム状・線状等の異なる形状を呈する。氷挟持部品４Ｂ底部は、同様に容器１１の下方に接触するとともに、容器１１底面の凸点４Ｂ１によって固定される。これにより、装填スペース１３内に冷凍された氷結層を押止する効果が得られる。更に本考案は、使用上の必要性に応じて、底蓋３の圧力逃がし孔３４や氷挟持部品４４Ａ４Ｂ（図８を参照）を省き、装填スペース１３に水や塩水等を直接入れてから、冷凍して氷結層を形成することができる。また、装填スペース１３に氷・塩等や冷媒・熱媒を入れることによって、収容スペース１２内の飲食物の冷状態・温状態を保つとともに、揺動・攪拌等によりシャーベットやアイスクリーム等を作ることができる。これにより、前述と同様の効果が得られる。
【００１１】
（実施例３）
図９を参照する。本考案の実施例３を示した図である。本実施例も前述と同様に、容器本体１Ａと、上蓋２Ａと、底蓋３Ａとからなる。これらの構成部品は前述とは異なる形態をなす。容器本体１Ａの内部には、同様に容器１Ａ１が設けられる。容器１Ａ１は、上向きに開口した収容スペース１Ａ２を有するとともに、容器本体１Ａとの間には、装填スペース１Ａ３が設けられる。底蓋３Ａの内面には、一つ或いは複数の係止部３Ａ１が設けられる。係止部３Ａ１には、略干字型を呈する氷挟持部品４Ｃが係止される。使用上の必要性に応じて氷挟持部品４Ｃを立てて装填スペース１Ａ３内に収容することにより、氷結層を押止する効果が得られる。これにより、前述の実施例と同様の使用方法、及び効果が実現する。この他、氷挟持部品４Ｃは、Ｔ字型・扁平状等の形状を呈するとともに、螺合・嵌込・差込・係止等の方法によって取り付けられるか、或いは直接底蓋３Ａ内面に固定されることによっても、同様の使用効果が得られる。
【００１２】
（実施例４）
図１０を参照する。本考案の実施例４を示した図である。本実施例は、容器１Ｂ１の外部に容器本体１Ｂが設けられた形態を呈するが、上蓋は被せられない。容器１Ｂ１は、同樣に上向きに開口した収容スペース１Ｂ２を有するとともに、容器本体１Ｂとの間には装填スペース１Ｂ３が設けられる。容器本体１Ｂは、その底部に底蓋３Ｂ口縁部内面におけるネジ孔部３Ｂ１と対応するようにネジ山部１Ｂ４が設けられて、その内部には同様に漏れ防止リング３Ｂ２が嵌めこまれる。これにより、容器本体１Ｂと底蓋３Ｂが、外れないように互いにしっかりと螺合して組み合わされる。容器本体１Ｂの内面には、一つ或いは複数の係止部１Ｂ５が設けられる。全ての係止部１Ｂ５には、氷挟持部品４Ｄが設けられる。氷挟持部品４Ｄは、いずれも複数に枝分かれした細長い棒体を呈する。使用上の必要性に応じて、氷挟持部品４Ｄは立てたり戻したりされるとともに、装填スペース１Ｂ３内に収容されることにより、前述と同様の使用方法、及び効果が実現する。また、氷挟持部品４Ｄは、扁平状等の形状を呈するとともに、螺合・嵌込・差込・係止等の方法によって取り付けられるか、或いは直接容器本体１Ｂ内面に固定されることによっても、同様の使用効果が得られる。
【００１３】
（実施例５）
図１１を参照する。本考案の実施例５は、図に示したように、容器本体１Ｃ内部に容器１Ｃ１が設けられる。容器１Ｃ１は、上向きに開口した収容スペース１Ｃ２を有するとともに、容器本体１Ｃとの間には装填スペース１Ｃ３が設けられる。容器本体１Ｃは、その底部が閉じており、その周縁がいずれも平面状であった前述の各実施例と異なり、上下半分がそれぞれ外側に凸の孤形、且つ中央部近くの連接部分が内側に凹陥を呈する。これにより、装填スペース１Ｃ３の辺縁に氷挟持スペースが形成されて、同様に氷結層加を押止する効果が得られる。容器本体１Ｃの周囲には、更に一つ或いは複数の装填孔１Ｃ４、及びこれに対応する同数の栓蓋７が設けられる。各栓蓋７の頭端は、いずれも装填孔１Ｃ４と同形状同サイズに凸設された栓体７１を備えており、それぞれが装填孔１Ｃ４に嵌め入れられて密封する。更に、栓体７１を取り外し、容器本体１Ｃを倒置させて、装填孔１Ｃ４から水或いは塩水を装填スペース１Ｃ３内に入れた後、冷凍することによって氷結層が形成される。もしくは、直接氷・塩、或いは各種の冷媒・熱媒を入れることによっても、前述と同様の使用方法、及び効果が実現する。本実施例は、更に装填孔１Ｃ４の孔縁内面及び栓体７１の周縁に、それぞれ対応し合うネジ山を設けることにより、栓体７１を装填孔１Ｃ４に沿って回し入れたり外したりすることも可能である。この構造によっても、同様の効果を得ることができる。
【００１４】
（実施例６）
図１２を参照する。本考案の実施例６は、図に示したように、容器本体１Ｄ内部に設けられた容器１Ｄ１が、倒置状態を呈している。容器１Ｄ１は、容器本体１Ｄ底部から上方に延伸して設けられるとともに、その底部が開口することにより、内部に前述の各実施例と同様の機能構造を有する装填スペース１Ｄ２が形成される。この他、容器１Ｄ１と容器本体１Ｄの間に残された収容空間は、収容スペース１Ｄ３として用いられて、その頂端開口から飲食物を入れることができる。これにより、装填スペース１Ｄ２及び収容スペース１Ｄ３が、使用上の互換性を有する。容器１Ｄ１の周囲は、平面状であった前述の各実施例と異なり弧状に彎曲しており、これに沿って装填スペース１Ｄ２の内面に氷挟持スペースが形成される。また、容器本体１Ｄは、その頂端に上蓋２Ｂが被せられるとともに、その底部に設けられたネジ山部１Ｄ４と底蓋３Ｃ口縁内面のネジ孔部３Ｃ１が螺合されることにより、開口した底部が密封される。以上に基づき、容器本体１Ｄを倒置させ、底蓋３Ｃを取り外し、装填口から装填スペース１Ｄ２内に水或いは塩水等を入れた後、冷凍することによって氷結層が形成される。もしくは、直接氷・塩等、或いは各種の冷媒・熱媒を入れることも可能である。底蓋３Ｃを閉めた容器本体１Ｄを引っくり返して、頂端の開口部から収容スペース１Ｄ３内に飲食物を入れた後、容器１Ｄ１内面における氷挟持スペースの作用を利用し、揺動・攪拌等によりシャーベットやアイスクリーム等を作ることができる。これにより、前述と同様の効果が得られる。加えて、容器本体１Ｄを振って、収容スペース１Ｄ３内の飲食物が均一に冷温、及び冷媒・熱媒の温度伝導を受けるようにすることで、シェイカーとしての使用方法と機能を備えることができる。この他、本実施例の上蓋２Ｂ、及び容器本体１Ｄ頂端は、螺合・嵌合・嵌込等の方法によって組み合わされる。また、底蓋３Ｃは、嵌合・嵌込といった方法によって容器本体１Ｄ底部を密封するか、もしくは、代わりに封止フィルム・テープによって密封することによっても、同様の使用効果が得られる。
【００１５】
（実施例７）
図１３を参照する。本考案の実施例７は、図に示したように、容器本体１Ｅが、適切な高さまで上方に延伸して、瓶状の形態をなす。更に容器本体１Ｅの表面には、種々の凹凸縞模様、或いは滑り止め効果を備えた構造（例えば、花柄・種々の凹凸縞模様・造型・粗面等）を設けることも可能である。容器本体１Ｅの内部には同様に容器１Ｅ１が設けられ、容器１Ｅ１は上向きに開口した収容スペース１Ｅ２を有する。容器１Ｅ１と容器本体１Ｅの間には、装填スペース１Ｅ３が設けられる。容器本体１Ｅ底部は、同樣に開口して装填口を形成するとともに、その周縁に設けられたネジ山部１Ｅ４と、底蓋３Ｄ口縁内面に対応して設けられたネジ孔部３Ｄ１が螺合されることにより、装填口が密封される。また、底蓋３Ｄを取り外した装填口から、水・塩水、或いは氷・塩・各種冷媒・熱媒を装填スペース１Ｅ３内に入れることができる。容器本体１Ｅ頂端に形成された瓶口には、更にネジ山部１Ｅ５が設けられる。ネジ山部１Ｅ５及び、上蓋２Ｃ口縁内面におけるネジ孔部２Ｃ１は、互いに対応して設けられることにより、上蓋２Ｃが瓶口に螺合・解除されて、収容スペース１Ｅ２の収容口が密封・開放される。また、瓶口を開けて、収容口から収容スペース１Ｅ２内に飲食物を入れた後、氷結層或いは氷・塩・冷媒・熱媒の伝導による冷状態・温状態を利用し、揺動・攪拌してシャーベットやアイスクリームを作ることができる。この他、容器本体１Ｅ底部のネジ山部１Ｅ４、及び底蓋３Ｄ内面のネジ孔部３Ｄ１を省いて、それぞれを嵌め込むことによっても、同様の効果を得られる。
【００１６】
（実施例８）
図１４を参照する。本考案の実施例８は、図に示したように、容器本体１Ｆの形態に変化が加えられ、哺乳瓶の形状を呈している。その内部には同様に容器１Ｆ１が設けられるとともに、上向きに開口した収容スペース１Ｆ２を有し、且つそれらの間に装填スペース１Ｆ３が設けられる。装填スペース１Ｆ３は、容器１Ｆ１外部に囲繞して設けられる。容器本体１Ｆ底部における装填口と、頂端における瓶口の周縁には、それぞれ同様にネジ山部１Ｆ４・１Ｆ５が設けられる。ネジ山部１Ｆ４・１Ｆ５は、底蓋３Ｅ・上蓋２Ｄの口縁内面に対応して設けられたネジ孔部３Ｅ１・２Ｄ１とそれぞれ螺合される。上蓋２Ｄ頂面に開設された嵌被せ口２Ｄ２には、吸い口８の吸い口が下から上向きに差し込まれるとともに、吸い口８底部の環縁が上蓋２Ｄにおける容器本体１Ｆ瓶口との螺合部分に沿って、上蓋２Ｄ底面と瓶口の間に挟みこまれることにより、哺乳瓶としての形態を成す。前述の使用方法に基づき、装填スペース１Ｆ３内に各種冷媒・熱媒を入れることで、収容スペース１Ｆ２内の乳は、容器１Ｆ１の温度の均一な伝導によって保冷・保温されて、乳幼児に与えられる。加えて本実施例は、その他の異なる形態の容器本体及び容器に応用し、使用上の必要性に応じて上蓋の構造を変えることができる（例えば、水筒形状を呈する容器本体、及び容器上蓋にストローが凸設された形態、或いはハンディクーラー形態を呈する容器本体、及び容器上蓋に注ぎ口が設けられた形態等）。これにより、本考案の適用範囲及び使用価値を拡充することができる。
【００１７】
（実施例９）
図１５を参照する。本考案の実施例９は、図に示したように、瓶状の容器本体１Ｇ内に設けられた容器１Ｇ１が、倒置した形態を呈する。容器１Ｇ１は、容器本体１Ｇ底部から上方に延伸するとともに、その底部に開口が設けられ、且つその内部に装填スペース１Ｇ２が形成される。容器１Ｇ１と容器本体１Ｇの間に残された空間は、収容スペース１Ｇ３として使用され、瓶口に形成された収容口から飲食物を入れることができる。これにより、装填スペース１Ｇ２及び収容スペース１Ｇ３が使用上の互換性を有する。容器本体１Ｇと容器１Ｇ１の内面及び表面は、平面状の他、波型状・凹凸縞模様・凹凸花柄・文様等の形状を呈するとともに、装填スペース１Ｇ２辺縁に氷挟持スペースを形成する。底蓋３Ｆには栓体３Ｆ１が凸設される。底蓋３Ｆ及び栓体３Ｆ１は、容器１Ｇ１底部における開口の形状・サイズに対応して設けられて、その中に嵌め込まれることにより、装填スペース１Ｇ２を密封する。また、栓体３Ｆ１を取り外し、容器本体１Ｇを倒置させ、容器１Ｇ１底部における装填口から、水や塩水を装填スペース１Ｇ２内に入れた後、冷凍することによって氷結層が形成される。もしくは、直接氷・塩、或いは各種冷媒・熱媒を入れて、底蓋３Ｆにおける栓体３Ｆ１を容器１Ｇ１底部の装填口に嵌め込むことにより、氷結層が装填スペース１Ｇ２内における氷挟持スペースに留められる。更に、容器本体１Ｇを振って、収容スペース１Ｇ３内の飲食物が均一に冷温及び冷媒・熱媒の温度伝導を受けるようにすることで、シェイカーとしての使用方法と機能を備えることができる。また、揺動・攪拌してシャーベットやアイスクリームを作ることができる。容器本体１Ｇ頂端の瓶口には、ネジ山部１Ｇ４が設けられて、上蓋２Ｅ口縁内面におけるネジ孔部２Ｅ１とネジ作用で結合・解除されることにより、収容スペース１Ｇ３の収容口が密封・開放される。これにより、前述と同様の使用方法、及び効果が実現する。次に、図１６を参照する。実施例９における構造の変更例であり、容器１Ｇ１底部開口の口縁内に設けられたネジ孔部１Ｇ５が、底蓋３Ｇ周縁に対応して設けられた３Ｇ１と螺合されることにより、容器１Ｇ１底部に形成された装填口が密封される。底蓋３Ｇ内面は、使用上の必要性に応じて、フレーム状の氷挟持部品４Ｅが設けられる。氷挟持部品４Ｅは、螺合・嵌込・差込・係止等の方法によって底蓋３Ｇ内面に取り付けられるとともに、装填スペース１Ｇ２内に収容されて、氷結層を押し止める。容器本体１Ｇは、その頂端の瓶口内側に上蓋２Ｆが嵌め込まれ、上蓋２Ｆ底部に凸設された栓体２Ｆ１によって、瓶口に形成された収容口が密封される。更に、氷挟持部品４Ｅを省いて、直接装填スペース１Ｇ２内に氷・塩・冷媒・熱媒を入れることによっても、前述と同様の使用方法、及び効果が実現する。
【００１８】
（実施例１０）
図１７を参照する。本考案の実施例１０は、図に示したように、容器本体１Ｈが丸凸状等の形状を呈するとともに、その内部に同様に容器１Ｈ１が設けられる。容器１Ｈ１は、上向きに開口した収容スペース１Ｈ２を有するとともに、その周縁が彎曲した弧状等の形状をなし、且つ容器本体１Ｈとの間に夾冰効果を備えた装填スペース１Ｈ３が設けられる。容器本体１Ｈ底部には、装填口が開口して形成される。装填口の口縁内に設けられたネジ孔部１Ｈ４は、台座３’と螺合される。台座３’は、造形された台座体であり、その頂部周縁に設けられたネジ山部３’１が、容器本体１Ｈ底部における装填口内面のネジ孔部１Ｈ４と対応して螺合されることにより、高脚型グラスの形態をなす。更に、台座３’頂部を容器本体１Ｈ底部における装填口から取り外し、容器本体１Ｈを倒置させ、装填口から水・塩水、或いは氷・塩・冷媒・熱媒を装填スペース１Ｈ３内に入れる。この時、容器本体１Ｈ及び容器１Ｈ１の間に、形状構造による氷挟持機能が生じて、冷凍によって形成された氷結層が押止される。これにより、前述と同様の使用方法、及び効果が実現する。また、本実施例における容器本体１Ｈと台座３’の間は、螺合による組み合わせの他、容器本体１Ｈ底部のネジ孔部１Ｈ４及び台座３’頂部のネジ山部３’１を省くとともに、台座３’頂部を容器本体１Ｈ底部の装填口内に嵌め込んで組み合わせることによっても、同様の使用効果が得られる。
【００１９】
（実施例１１）
図１８を参照する。本考案の実施例１１は、図に示したように、容器本体１Ｉ内部に同様に容器１Ｉ１が設けられる。容器１Ｉ１は、凹陥した浅い皿状、或いは箱状を呈するとともに、上方に開口した収容スペース１Ｉ２を有し、且つ容器本体１Ｉとの間に装填スペース１Ｉ３が設けられる。容器１Ｉ１及び容器本体１Ｉは、その内面が鋸歯状を呈するか、もしくは、内面或いは表面に平面状・凹凸状・凹凸花柄・凹凸縞模様等の各種形状が設けられる。容器本体１Ｉ底部は閉じた形状をなすとともに、その周囲或いは上方に、一つ或いは複数の装填孔１Ｉ４が開設される。装填孔１Ｉ４は、いずれも装填スペース１Ｉ３とつながっており、これに対応するように同数の横蓋９が設けられる。横蓋９は、いずれも頭端に装填孔１Ｉ４と同様の形状及びサイズの孔栓９１を備えているため、装填孔１Ｉ４内に嵌め込まれて装填スペース１Ｉ３を密封する。この他、装填孔１Ｉ４孔口内側にネジ孔部を設け、これに対応するように孔栓９１周縁にネジ山部を設け、螺合することによって装填孔１Ｉ４を密封することも可能である。更に、孔栓９１を装填孔１Ｉ４から取り外し、装填孔１Ｉ４から水・塩水等を装填スペース１Ｉ３内に入れてから冷凍することにより氷結層が形成される。もしくは、直接氷・塩等、或いは各種冷媒・熱媒を入れる。これにより、収容スペース１Ｉ２内の飲食物が保冷・保温・保鮮される。また、揺動・攪拌等によりシャーベットやアイスクリーム等を作ることができ、使用価値が上昇する。
【００２０】
（実施例１２）
図１９を参照する。本考案の実施例１２は、図に示したように、容器本体１Ｊ内部に容器１Ｊ１が設けられる。容器１Ｊ１は、凹陥した深い皿状、或いは箱型を呈するとともに、上方に開口した収容スペース１Ｊ２を有する。収容スペース１Ｊ２内部は、一つ或いは数個の枠に分割されているため、異なる食物を分けて収容することができる。容器１Ｊ１と容器本体１Ｊの間には、装填スペース１Ｊ３が設けられる。容器１Ｊ１及び、容器本体１Ｊの表面或いは内面は、凹凸状を呈するか、或いは凹凸縞模様・花柄・平面状等の形状が設けられる。これにより、装填スペース１Ｊ３が夾冰の機能を有する。容器本体１Ｊ底部は、開口して装填口を形成するとともに、底蓋３Ｈが嵌められる。底蓋３Ｈは、内環縁・外環縁３Ｈ１・３Ｈ２を備えた蓋体をなす。内環縁・外環縁３Ｈ１・３Ｈ２は、それぞれ容器本体１Ｊ底部における内面及び表面の形状とサイズに応じて設けられて、その間に陥没した夾槽が形成されることにより、容器本体１Ｊ底部が嵌合されて、装填口を密封する。以上の構造に基づき、底蓋３Ｈを外し、容器本体１Ｊを倒置させ、装填口から水或いは塩水等を装填スペース１Ｊ３内に入れてから、冷凍することによって氷結層が形成される。もしくは、直接氷・塩等、或いは各種冷媒・熱媒を入れる。装填スペース１Ｊ３内の氷挟持機能により、収容スペース１Ｊ２枠内の食物が保冷・保温・保鮮される。この他、本実施例は更に、容器本体１Ｊ底部にネジ山部を設け、底蓋３Ｈにおける外環縁３Ｈ２内面に対応するネジ孔部を設け、これらをネジ作用で結合・解除することも可能である。更に、底蓋３Ｈを省いて、代わりに、直接封止装置で封止フィルムを熱圧着する、或いはテープで貼合して密封することによっても、同様の使用効果が得られる。
【００２１】
（実施例１３）
図２０を参照する。本考案の実施例１３は、図に示したように、容器本体１Ｋ内部に容器１Ｋ１が設けられる。容器１Ｋ１は、上向きに開口した収容スペース１Ｋ２を有するとともに、容器本体１Ｋとの間に装填スペース１Ｋ３が設けられる。容器本体１Ｋ底部は、開口して装填口を形成するとともに、その外部に保護部品１Ｋ４が連設される。保護部品１Ｋ４は、容器本体１Ｋ外部を覆い隠して設けられるとともに、容器本体１Ｋとの間に設けられた僅かな隙間１Ｋ５内に隙間埋めリング１Ｋ６が環状に嵌められて補強される。これにより、装填スペース１Ｋ３内の氷結層や氷が長時間室温に晒されて、容器本体１Ｋ表面が結露することを防止するとともに、装填スペース１Ｋ３内に熱水を入れた時、熱水の高温が外部に伝導することを防止することができ、結露防止及びやけど防止の効果を備える。更に、保護部品１Ｋ４表面には、各種凹凸縞模様、或いは滑り止め効果を備えた構造（例えば、花柄・各種凹凸模様・造型・粗面等）を設けることが可能であり、これにより掴んだり持ったりしやすくなる。また、容器本体１Ｋ頂部及び、保護部品１Ｋ４底部には、それぞれ上蓋２Ｇ及び、底蓋３Ｉが嵌められる。上蓋２Ｇ及び底蓋３Ｉは、その周縁に、それぞれ容器本体１Ｋ頂部、及び保護部品１Ｋ４底部周縁の形状・サイズに応じて設けられた蓋縁２Ｇ１・３Ｉ１を有することにより、収容口及び装填口を密封するとともに、その内部に、真空隔離室２Ｇ２・３Ｉ２が設けられることにより、良好な保冷・保温・火傷防止等の機能を有する。また、底蓋３Ｉ内面には、一つ或いは複数の取り付け部が設けられて、それぞれに直線状の氷挟持部品４Ｆが差し込まれて固定される。これにより、氷挟持部品４Ｆが装填スペース１Ｋ３内部に収容されて氷結層を押止する。以上に基づき、底蓋３Ｉを容器本体１Ｋ及び保護部品１Ｋ４の底部から外し、倒置させて、装填口から水や塩水を装填スペース１Ｋ３内に入れた後、底蓋３Ｉを被せて冷凍することによって、氷結層が形成される。もしくは、直接装填スペース１Ｋ３内に氷・塩或いは各種冷媒・熱媒を入れることも可能である。これにより、氷挟持部品４Ｆが氷結層を押止して、前述と同様の使用方法、及び効果を実現する。加えて、本実施例の底蓋３Ｉは、更に蓋縁３Ｉ１内面にネジ孔部３Ｉ３（図２１を参照）が設けられ、保護部品１Ｋ４底部に設けられたネジ山部１Ｋ７と対応することにより、底蓋３Ｉ及び保護部品１Ｋ４が相互にネジ作用で螺合・解除される。更に、氷挟持部品４Ｆを省くことによっても、前述と同様の効果が得られる。
【００２２】
（実施例１４）
図２２を参照する。本考案の実施例１４は、図に示したように、容器本体１Ｌ及び容器１Ｌ１が、螺合・嵌込・嵌合等の方法で組み合わされる。容器１Ｌ１は、同様に上方に開口した収容スペース１Ｌ２を有するとともに、容器本体１Ｌとの間に装填スペース１Ｌ３が設けられる。容器本体１Ｌは、その底部が閉じているとともに、その頂部の口縁内面にネジ孔部１Ｌ４が設けられて、容器１Ｌ１上方に設けられたネジ山部１Ｌ５と対応する。これにより、容器１Ｌ１と、容器本体１Ｌ頂部における開口が、ネジ作用で螺合・解除される。容器１Ｌ１底面には、挿し接ぎブロック１Ｌ６が凸設され、挿し接ぎブロック１Ｌ６内部に設けられた插口に、氷挟持部品４Ｇが差し込まれて下向きに固定される。これにより、氷挟持部品４Ｇが装填スペース１Ｌ３内部に収容される。また、氷挟持部品４Ｇは、１本以上の双十字型の棒体からなるとともに、装填スペース１Ｌ３内に冷凍によって形成された氷結層を押止する。もしくは、氷挟持部品４Ｇを省いて、直接装填スペース１Ｌ３内に氷・塩・冷媒・熱媒を入れることも可能である。これにより、収容スペース１Ｌ２内の飲食物が、氷結層或いは氷・塩・冷媒・熱媒の伝導によって、冷状態・温熱状態を保ったり、冷やしたりすることができる他、揺動・攪拌してシャーベットやアイスクリームを作ることができる。氷挟持部品４Ｇは、容器１Ｌ１底部の挿し接ぎブロック１Ｌ６と、螺合・係止等の方法によって組み合わされるとともに、フレーム状・囲繞状等の形状を呈することによっても、前述と同様の使用方法及び効果が実現する。次に、容器本体１Ｌ底部には、圧力逃がし孔１Ｌ７が穿設されて、その中に孔栓（蓋）１Ｌ８が嵌めこまれて密封される。装填スペース１Ｌ３内に氷結層が冷凍によって形成された後、或いは氷が溶けた時、孔栓（蓋）１Ｌ８を圧力逃がし孔１Ｌ７から取り出すことにより、装填スペース１Ｌ３内外の空気に流れが生じて内部の気圧が下がるため、容器１Ｌ１を取り外しやすくなる。
【００２３】
上述で説明したように、本考案は、容器本体１内部に容器１１が設けられる。容器１１は、上方に開口した収容スペース１２を有するとともに、容器本体１との間に装填スペース１３が設けられる。装填スペース１３内には、使用上の必要性によって、氷挟持部品４が設けられるか、或いは氷挟持スペースが形成される。また、容器本体１底部や周囲には、装填口（孔）が設けられる。装填口（孔）は、底蓋３・台座３’・栓蓋７・横蓋９等によって密封される。以上の構造に基づき、底蓋３・台座３’・栓蓋７・横蓋９を取り外し、容器本体１を倒置させて、装填口（孔）から水や塩水等を入れた後、冷凍することによって氷結層５が形成されるか、或いは加熱によって増温層が形成されるとともに、氷挟持部品４、或いは氷挟持スペースによって押止・移動防止・蓄熱等の作用が得られる。もしくは、氷挟持部品４、或いは氷挟持スペースを省いて、装填スペース１３内に直接氷・塩等、或いは各種冷媒・熱媒（例えば、砕き氷・削り氷・ドライアイス・温水・熱水等）を入れる。これにより、収容スペース１２内の飲料６や食物は、氷結層５・増温層、或いは氷・塩・冷媒・熱媒による冷温・熱温が容器１１に伝導することによって、冷状態を保ったり、冷涼・氷結・温熱等の状態をなす他、揺動・攪拌等によってシャーベットやアイスクリーム等として製造される。以上により、使用者の好みに応じた多様な使用機能を備えるとともに、使用が簡便な構造等を備えた冷熱凍容器をなす。加えて、本考案の製作において、容器本体１と、容器１１・上蓋２・底蓋３・台座３’・氷挟持部品４・栓蓋７・横蓋９等の構成部品は、一体成型、或いは連接・組み合わせ・段階式組み立て等の方法によって組み合わされる。また、容器本体１と容器１１、及び上蓋２・底蓋３・台座３’・栓蓋７・横蓋９の形体は、その用途及び外観上の必要性に応じて適切な変化を加え、例えば、カップ状・酒杯・高脚型グラス・ビールグラス・瓶状・箱状・缶状・皿状・碗状・筒状・鍋状・ハンディクーラー・水筒・筒型保温容器等の形体に製造されることに加えて、その表面や内面が、平面状・凹凸縞模様・溝槽・花柄・文字型・凹凸模様・凹環・凸環・各種造型・図形等の形状に製造されることにより、装填スペース１３が氷・塩等、各種冷媒・熱媒を収容するか、その内部に形成された氷挟持スペースが氷結層５を押止する。更に、容器本体１・容器１１は、その表面や内面に、点・線・凹環・凸環・図形等の容量水位標記を加設したり、その外部に保護部品１Ｋ４を増設して、持ちやすくし、且つ全体の強度を高めるとともに、外観の美観を向上させることができる。この他、容器１１は、その内部における収容スペース１２と、容器本体１との間に設けられた装填スペース１３が、製造や使用上の必要性に応じて相互に位置や機能を交換したり、同様の機能を有することが可能であり、且つ味調合のために用いることもできる。並びに、装填スペース１３における装填口（孔）や圧力逃がし孔１Ｌ７は、容器本体１底部の他、容器本体１周囲の任意の位置に一つ、或いは複数設けられるとともに、対応して設けられた同数の底蓋３・台座３’・栓蓋７・横蓋９・孔栓（蓋）１Ｌ８によって密封される。また、底蓋３・台座３’・栓蓋７・横蓋９・孔栓（蓋）１Ｌ８・保護部品１Ｋ４・上蓋２は、容器本体１或いは容器１１に対応するように種々の形体に製造されるとともに、螺合・嵌込・嵌合等の方法によって組み合わされる。螺合・嵌込・嵌合等の方法によって組み合わされた容器本体１・容器１１における各口（孔）縁の内外部には、漏れ防止リング・漏れ防止パット等の隙間埋め部品が設けられる。更に、上蓋２・底蓋３・台座３’・保護部品１Ｋ４、或いは容器本体１・容器１１の間に、一つ或いは複数の押さえ留め具・掛け留め具等の係止部品が増設されることにより、組み立てられた後に押圧固定してしっかりと密封することができる。次に、容器本体１・容器１１・上蓋２・底蓋３・台座３’・氷挟持部品４・栓蓋７・横蓋９・保護部品１Ｋ４・孔栓（蓋）１Ｌ８等の部品は、その形状・構造・用途に応じて、ＰＰ・ＰＣ・ＰＳ・ＰＥ・ＰＶＣ・ＰＥＴ・ＰＬＡ・ＰＳＰ・ＡＢＳ・ＨＤＰＥ・発泡プラスチック・シリコン・ゴム等の、硬性・軟性・伸縮性・弾性のプラスチック・ゴムのいずれかの材質によってなる。もしくは、鉄・ステンレス・アルミ・陶器・ガラス・発泡スチロール・紙等の適切な材質、或いは保温素材を使用することも可能である。もしくは、可食性の食材（例えば、チョコレート・サブレ・薄餅（小麦粉生地を薄く焼いたもの）等）からなる。更に、以上より異なる材質を組み合わせて製造することも可能である。この他、容器本体１・容器１１・上蓋２・底蓋３・台座３’・氷挟持部品４・栓蓋７・横蓋９・孔栓（蓋）１Ｌ８等の部品は、連接、或いは封止装置・封止フィルム・テープ・プラスチックフィルム・アルミ箔・紙・造形袋・ジッパー袋等の軟性且つ薄手・極薄の材質によって補強構造が設けられるか、或いは氷挟持部品４の造形によって補強構造をなす。上蓋２・底蓋３・台座３’・栓蓋７・横蓋９・孔栓（蓋）１Ｌ８は、ゴム・シリコン・発泡ＴＰＲ・コルク・合成コルク等の良好な弾性を備えるか、或いはその他の適切な材質からなることにより、嵌め込まれる時に口（孔）縁を密封する。更に、以上より異なる材質を組み合わせてなることも可能である。前述を受け、本考案の氷挟持部品４は、各実施例において示した皿状・網状・碗状・柱状・棒状・フレーム状・縞状等の形状の他、Ｔ字型・干字型・扁平状・矩形開口を有する皿状・孔状・ブロック状・囲繞状等の形体を呈することも可能であり、且つ収容スペース１２内・装填スペース１３内・上蓋２内面・底蓋３内面・台座３’内面・栓蓋７内面・横蓋９内面において、単一或いは複数個所に同時に設けられることにより、水や塩水等が冷凍されて形成した氷結層５に対して押止・移動防止作用等を加えるとともに、冷凍氷結によって生じた収縮圧力を吸収することができる。更に、氷挟持部品４を収容スペース１２内、或いは装填スペース１３内から取り出して、氷挟持部品４の形体に成型された氷を他の用途に用いることもできる。また、氷挟持部品４と、収容スペース１２内部・装填スペース１３内部、或いは上蓋２内面・底蓋３内面・台座３’内面・栓蓋７内面・横蓋９内面との間は、嵌込・差込による組み合わせか、螺合・嵌合・係止・可動ネジ接合・万能継ぎ手による接合・可動接合・固定連接等の方法で組み立てられ、更に使用上の必要性に応じて、氷挟持スペースと同時に設けられる。この他、氷挟持部品４が上蓋２内面に設けられて、上蓋２の旋回や揺動で収容スペース１２内の飲食物が攪拌されることにより、攪拌器としての機能も兼ね備えることができる。本考案の容器本体１・容器１１、及び各構成部品は、構造と使用される材質によって、使い捨て型、或いは重複使用型をなす。装填スペース１３内に収容された水や塩水等は、冷凍によって氷結層５を形成する。氷結層５が溶けた後、再冷凍によって再度氷結層５を形成することにより、重複使用するか、もしくは、水や塩水等を入れ換えて再度使用することができる。更に、本考案を複数個重ねて置くことが可能な構造を加えることにより、置き場所を節約することができる。加えて、容器本体１の外部には、保護部品１Ｋ４の他、更に阻止層が嵌められることにより、内部の氷が溶けた時、容器本体１の表面が結露して水分が生じることを防止する。もしくは、上蓋２を容器本体１底部に敷いて、結露した水分が上蓋２に集中して落ちるようにすることにより、テーブルが濡れることを避ける。この他、各構成部品の外部に、更に滑り止め機能・取っ手・持ち手・ベルトや、取り外し式の上蓋・底蓋・栓蓋・孔栓・横蓋が設けられることにより、使用者が持ったり、携帯したり、取ったりしやすくなる。本考案を使用する際は、飲料５を入れて冷状態を保ったり冷涼・氷結・温熱等の状態をなすだけでなく、飲用以外にも揺動・攪拌等によりシャーベットやアイスクリーム等を作ることができる。更には、生ものや冷たいもの、調理された食物や料理を入れて、保冷・保温・保鮮することができ、使用者が適温で本来の味の食物や料理を食べることができる。以上により、本考案の使用価値が際立つ。
【符号の説明】
【００２４】
１            容器本体
１Ａ   容器本体
１Ｂ   容器本体
１Ｃ   容器本体
１Ｄ   容器本体
１Ｅ   容器本体
１Ｆ   容器本体
１Ｇ   容器本体
１Ｈ   容器本体
１Ｉ   容器本体
１Ｊ   容器本体
１Ｋ   容器本体
１Ｌ   容器本体
１１   容器
１Ａ１ 容器
１Ｂ１ 容器
１Ｃ１ 容器
１Ｄ１ 容器
１Ｅ１ 容器
１Ｆ１ 容器
１Ｇ１ 容器
１Ｈ１ 容器
１Ｉ１ 容器
１Ｊ１ 容器
１Ｋ１ 容器
１Ｌ１ 容器
１２   収容スペース
１Ａ２ 収容スペース
１Ｂ２ 収容スペース
１Ｃ２ 収容スペース
１Ｄ３ 収容スペース
１Ｅ２ 収容スペース
１Ｆ２ 収容スペース
１Ｇ３ 収容スペース
１Ｈ２ 収容スペース
１Ｉ２ 収容スペース
１Ｊ２ 収容スペース
１Ｋ２ 収容スペース
１Ｌ２ 収容スペース
１３   装填スペース
１Ａ３ 装填スペース
１Ｂ３ 装填スペース
１Ｃ３ 装填スペース
１Ｄ２ 装填スペース
１Ｅ３ 装填スペース
１Ｆ３ 装填スペース
１Ｇ２ 装填スペース
１Ｈ３ 装填スペース
１Ｉ３ 装填スペース
１Ｊ３ 装填スペース
１Ｋ３ 装填スペース
１Ｌ３ 装填スペース
１４   ネジ山部
１Ｂ４ ネジ山部
１Ｂ５ 係止部
１Ｃ４ 装填孔
１Ｄ４ ネジ山部
１Ｅ４ ネジ山部
１Ｅ５ ネジ山部
１Ｆ４ ネジ山部
１Ｆ５ ネジ山部
１Ｇ４ ネジ山部
１Ｇ５ ネジ孔部
１Ｈ４ ネジ孔部
１Ｉ４ 装填孔
１Ｋ４ 保護部品
１Ｋ５ 隙間
１Ｋ６ 隙間埋めリング
１Ｋ７ ネジ山部
１Ｌ４ ネジ孔部
１Ｌ５ ネジ山部
１Ｌ６ 挿し接ぎブロック
１Ｌ７ 圧力逃がし孔
１Ｌ８ 孔栓（蓋）
２            上蓋
２Ａ   上蓋
２Ｂ   上蓋
２Ｃ   上蓋
２Ｄ   上蓋
２Ｅ   上蓋
２Ｆ   上蓋
２Ｇ   上蓋
２Ｃ１ ネジ孔部
２Ｄ１ ネジ孔部
２Ｄ２ 嵌被せ口
２Ｅ１ ネジ孔部
２Ｆ１ 栓体
２Ｇ１ 蓋縁
２Ｇ２ 真空隔離室
３            底蓋
３Ａ   底蓋
３Ｂ   底蓋
３Ｃ   底蓋
３Ｄ   底蓋
３Ｅ   底蓋
３Ｆ   底蓋
３Ｇ   底蓋
３Ｈ   底蓋
３Ｉ   底蓋
３１   ネジ孔部
３２   止め縁
３３   漏れ防止リング
３４   圧力逃がし孔
３５   孔栓
３Ａ１ 係止部
３Ｂ１ ネジ孔部
３Ｂ２ 漏れ防止リング
３Ｃ１ ネジ孔部
３Ｄ１ ネジ孔部
３Ｅ１ ネジ孔部
３Ｆ１ 栓体
３Ｇ１ ネジ山部
３Ｈ１ 内環縁
３Ｈ２ 外環縁
３Ｉ１ 蓋縁
３Ｉ２ 真空隔離室
３Ｉ３ ネジ孔部
３’   台座
３’１ ネジ山部
４            氷挟持部品
４Ａ   氷挟持部品
４Ｂ   氷挟持部品
４Ｃ   氷挟持部品
４Ｄ   氷挟持部品
４Ｅ   氷挟持部品
４Ｆ   氷挟持部品
４Ｇ   氷挟持部品
４Ａ１ 凸点
４Ｂ１ 凸点
５            氷結層
６            飲料
７            栓蓋
７１   栓体
８            吸い口
９            横蓋
【図１】
0003187021.tif 000003
【図２】
0003187021.tif 000004
【図３】
0003187021.tif 000005
【図４】
0003187021.tif 000006
【図５】
0003187021.tif 000007
【図６】
0003187021.tif 000008
【図７】
0003187021.tif 000009
【図８】
0003187021.tif 000010
【図９】
0003187021.tif 000011
【図１０】
0003187021.tif 000012
【図１１】
0003187021.tif 000013
【図１２】
0003187021.tif 000014
【図１３】
0003187021.tif 000015
【図１４】
0003187021.tif 000016
【図１５】
0003187021.tif 000017
【図１６】
0003187021.tif 000018
【図１７】
0003187021.tif 000019
【図１８】
0003187021.tif 000020
【図１９】
0003187021.tif 000021
【図２０】
0003187021.tif 000022
【図２１】
0003187021.tif 000023
【図２２】
0003187021.tif 000024